(57)【要約】      （修正有）【課題】テレビジョンチューナ、ＶＴＲデッキ内のシリンダヘッド及び音声ヘッドに対して、輻射による影響を極力与えずにテレビジョン放送受信機を起動することが出来る電源回路の最適な構成及びレイアウトを提供することにある。【解決手段】ＶＴＲデッキの映像ヘッド部の設置位置よりも高い位置に設置されるトレイシャーシと一体に形成される３本のボス部上面にビス留めされ、３本のボス部の内、２本がトレイシャーシの底面の外形に沿って外側に形成され、残り１本が前記トレイシャーシの底面の範囲内に形成されるサブ基板と、サブ基板上に設置され、第１電源回路の停止時に前記テレビジョン放送受信機を起動させる第２電源回路とを備えることを特徴とするテレビジョン放送受信機。【選択図】      図２
2006041852.tif 000002
【特許請求の範囲】
【請求項１】
テレビジョン放送受信機の筐体内部の底面に配備され、樹脂成形される底面形状が略矩形のトレイシャーシと、
前記トレイシャーシ上に配置されるメイン基板と、  
前記メイン基板上に設置される第１電源回路と、
前記メイン基板上に於いて前記筐体の前面側に設置されるＶＴＲデッキと、
前記メイン基板上に於いて前記筐体の背面側の角部に設置されるテレビジョンチューナと、
前記テレビジョンチューナの上方に一定距離を保って設置され、前記ＶＴＲデッキ内に設置される映像ヘッド部及び音声ヘッド部の設置位置よりも高い位置に設置されるサブ基板であって、前記トレイシャーシと一体に形成される３本のボス部上面にビス留めされ、前記３本のボス部の内、２本が前記トレイシャーシの底面の外形に沿って外側に形成され、且つ、前記トレイシャーシの底面周縁部を構成する４辺の内、２辺に夫々形成されており、残り１本が前記トレイシャーシの底面の範囲内に形成されるサブ基板と、
前記サブ基板上に設置され、前記第１電源回路の停止時に前記テレビジョン放送受信機を起動させる第２電源回路と、を備えることを特徴とするテレビジョン放送受信機。
【請求項２】
テレビジョン放送受信機の筐体内部の底面に配備され、樹脂成形される底面形状が略矩形のトレイシャーシと、
前記トレイシャーシ上に配置されるメイン基板と、
前記メイン基板上に設置される第１電源回路と、
前記メイン基板上に於いて前記筐体の前面側に設置されるＶＴＲデッキと、
前記メイン基板上に於いて前記筐体の背面側の角部に設置されるテレビジョンチューナと、
前記テレビジョンチューナの上方に一定距離を保って設置されるサブ基板と、
前記サブ基板上に設置され、前記第１電源回路の停止時に前記テレビジョン放送受信機を起動させる第２電源回路と、を備えることを特徴とするテレビジョン放送受信機。
【請求項３】
前記サブ基板は、前記ＶＴＲデッキ内に設置された映像ヘッド部及び音声ヘッド部が設置された位置よりも高い位置に設置されることを特徴とする、請求項２に記載のテレビジョン放送受信機。
【請求項４】
前記サブ基板は、前記トレイシャーシと一体に形成されたボス部の上面にビス留めされることを特徴とする、請求項２乃至３の何れか一つに記載のテレビジョン放送受信機。
【請求項５】
前記サブ基板と固定されるボス部は３本であり、この内２本が前記トレイシャーシの底面の外形に沿って外側に形成され、且つ、前記トレイシャーシの底面周縁部を構成する４辺の内、２辺に夫々形成されており、残り１本が前記トレイシャーシの底面の範囲内に形成されることを特徴とする、請求項４に記載のテレビジョン放送受信機。
【請求項６】
前記テレビジョン放送受信機は、ＶＴＲ及びＤＶＤ装置と一体型のテレビジョン放送受信機であることを特徴とする、請求項２乃至５の何れか一つに記載のテレビジョン放送受信機。
【発明の詳細な説明】
【技術分野】
【０００１】
本発明は、ＶＴＲを搭載したテレビジョン放送受信機、及び、ＶＴＲとＤＶＤを搭載したテレビジョン放送受信機に関する。
【背景技術】
【０００２】
ＶＴＲを搭載したテレビジョン放送受信機は、待機電力を抑える為に受信機の筐体内部底面に設置された基板上の電源回路を停止状態にしている。この時、テレビジョン放送受信機の起動用に別途電源回路を設置する必要性が生じるが、この第２の電源回路の設置位置によっては、基板上のテレビジョンチューナやＶＴＲデッキ内の映像ヘッド及び音声ヘッドに対して輻射による悪影響（例えばノイズの発生）が生じる。したがって、第２の電源回路による輻射問題を解決するための最適なレイアウトが必要となる。
【０００３】
第２の電源回路からの輻射軽減の方法として、メイン基板上にサブ基板を設置し、該サブ基板上に第２電源回路を設置する方法を想定することが出来る。従来、このような構成を扱った発明が提案されており、例えば、特許文献１には、テレビジョンチューナと回路をシールドケースで分離させた一枚の補助回路基板をプリント配線基板に取り付ける構成を備えたＶＴＲについて記載されている。また、特許文献２には、メイン基板上に回路を搭載したサブ基板を取り付ける構成を備えたテレビジョン放送受信機について記載されており、サブ基板は基板を立てた状態で取り付けられ、必要に応じてサブ基板をシールドで覆うことが出来るとしている。さらに、特許文献３には、メイン基板上にポストを設置して、該ポスト上にサブ基板を設置する構成を備えた表示装置が記載されており、この時、一部の回路をサブ基板に搭載し、それ以外の回路をメイン基板に搭載するとしている。
【特許文献１】特開平１０−３２２６０６号公報（第２−３頁、第３図）
【特許文献２】特開２００２−１５８５９４号公報（第３−４頁、第１図）
【特許文献３】特開平９−１７２５９０号公報（第２−４頁、第５図）
【発明の開示】
【発明が解決しようとする課題】
【０００４】
上述の通り、特許文献１に記載の発明では、シールドケースを設置しなければならず、テレビジョン放送受信機１台あたりの生産コストが嵩む。また、同一基板上にテレビジョンチューナと回路を搭載し、シールドケースによってこれらを分離しているので、シールドケースを取り外せばテレビジョンチューナへの輻射による影響が生じる。特許文献２に記載の発明では、サブ基板を立てた状態で取り付ける構成が記載されているが、電源回路のように、コンデンサ、スイッチングトランス、トランジスタ等、立体的な装置を実装する場合には、サブ基板を横置きにして取り付ける場合に比して、余分な取り付け面積が必要となる可能性があるだけでなく、サブ基板の取り付け方向によってはテレビジョンチューナ等に対する輻射の影響が生じる可能性がある。また、サブ基板をシールドで覆う構成については、上述のコスト問題が発生する。特許文献３に記載の発明では、ポストによってサブ基板とメイン基板との距離を保つことが出来るので、テレビジョンチューナ等に対する輻射の問題を解決する一助となる可能性はあるものの、具体的な設置位置について記載されておらず、具体的な輻射問題の対策にはなり得ない。
【０００５】
したがって、本発明の目的は、テレビジョンチューナ、ＶＴＲデッキ内のシリンダヘッド及び音声ヘッドに対して、輻射による影響を極力与えずにテレビジョン放送受信機を起動することが出来る第２の電源回路の最適な構成及びレイアウトを提供することにある。
【課題を解決するための手段】
【０００６】
第１発明に係るテレビジョン放送受信機は、テレビジョン放送受信機の筐体内部の底面に配備され、樹脂成形される底面形状が略矩形のトレイシャーシと、トレイシャーシ上に配置されるメイン基板と、メイン基板上に設置される第１電源回路と、メイン基板上に於いて筐体の前面側に設置されるＶＴＲデッキと、メイン基板上に於いて筐体の背面側の角部に設置されるテレビジョンチューナと、テレビジョンチューナの上方に一定距離を保って設置され、ＶＴＲデッキ内に設置される映像ヘッド部と音声ヘッド部の設置位置よりも高い位置に設置されるサブ基板であって、トレイシャーシと一体に形成される３本のボス部上面にビス留めされ、３本のボス部の内、２本がトレイシャーシの底面の外形に沿って外側に形成され、且つ、トレイシャーシの底面周縁部を構成する４辺の内、２辺に夫々形成されており、残り１本がトレイシャーシの底面の範囲内に形成されるサブ基板と、サブ基板上に設置され、第１電源回路の停止時にテレビジョン放送受信機を起動させる第２電源回路とを備えることを特徴とする。
【０００７】
このテレビジョン放送受信機によれば、メイン基板上に設置された第１電源回路の停止時に、代わりに第２電源回路を起動用回路として使用することが出来るので、待機電力の節約を実現できる。
【０００８】
そして、このテレビジョン放送受信機によれば、第２電源回路を搭載したサブ基板をテレビジョンチューナの上方に一定距離を保って設置することによって、テレビジョンチューナに対して第２電源回路の発振時に発生する輻射による影響を軽減することが可能となるので、テレビジョンチューナの性能を悪化させることなく、ノイズの発生を抑えることが出来る。また、サブ基板をＶＴＲデッキ内に設置された映像ヘッド部及び音声ヘッド部が設置された位置よりも高い位置に設置されるので、映像ヘッド部及び音声ヘッド部に対して第２電源回路の発振時に発生する輻射による影響を軽減することが可能となり、両ヘッドの性能に悪影響を与えることなく、ノイズの発生を抑えることが出来る。
【０００９】
さらに、このテレビジョン放送受信機によれば、筐体の背面側の角部に設置されるテレビジョンチューナ部の上方にサブ基板が設置されるので、サブ基板とＶＴＲデッキ内に設置される映像ヘッド部及び音声ヘッド部との水平距離を可能な限り離すことが出来る。これにより、第２電源回路の発振時に発生する輻射による映像ヘッド部及び音声ヘッド部への影響を低減することが出来る。また、サブ基板がトレイシャーシと一体に形成された３本のボス部に固定され、ボス部３本の内、２本がトレイシャーシの底面の外形に沿って外側に形成されるので、サブ基板をボスの厚さ分だけメイン基板から外側にずらして設置することが出来る。これにより、サブ基板上に搭載された第２電源回路からＶＴＲデッキ内に設置された映像ヘッド及び音声ヘッドまでの水平距離をさらに離すことが可能となるので、第２電源回路の発振時に発生する輻射による映像ヘッド部及び音声ヘッド部への影響をさらに低減することが出来る。
【００１０】
また、サブ基板と３本のボスがビス留めされることにより、サブ基板を確実に固定することが可能であり、サブ基板を固定する３本のボス部の内、２本がトレイシャーシの底面の外形に沿って形成され、且つ、底面周縁部を構成する２辺の夫々に形成されており、残りの１本がトレイシャーシの底面の範囲内に形成されているので、サブ基板をバランス良く、安定的に３点で固定することが出来る。
【００１１】
第２発明に係るテレビジョン放送受信機は、テレビジョン放送受信機の筐体内部の底面に配備され、樹脂成形される底面形状が略矩形のトレイシャーシと、トレイシャーシ上に配置されるメイン基板と、メイン基板上に設置される第１電源回路と、メイン基板上に於いて筐体の前面側に設置されたＶＴＲデッキと、メイン基板上に於いて筐体の背面側の角部に設置されるテレビジョンチューナと、テレビジョンチューナの上方に一定距離を保って設置されるサブ基板と、サブ基板上に設置され、第１電源回路の停止時にテレビジョン放送受信機を起動させる第２電源回路とを備えることを特徴とする。
【００１２】
このテレビジョン放送受信機によれば、メイン基板上に設置された第１電源回路を停止
状態にして、代わりに第２電源回路を起動用回路として使用することが出来るので、待機電力の節約を実現できる。また、このテレビジョン放送受信機によれば、第２電源回路を搭載したサブ基板をテレビジョンチューナの上方に一定距離を空けて設置することによって、テレビジョンチューナに対して第２電源回路の発振時に発生する輻射による影響を軽減することが可能となるので、テレビジョンチューナの性能を悪化させることなく、ノイズの発生を抑えることが出来る。
【００１３】
第３発明に係るテレビジョン放送受信機は、第２発明に係るテレビジョン放送受信機に於いて、サブ基板はＶＴＲデッキ内に設置された映像ヘッド部及び音声ヘッド部が設置された位置より高い位置に設置されることを特徴とする。
【００１４】
このテレビジョン放送受信機によれば、サブ基板をＶＴＲデッキ内に設置された映像ヘッド部及び音声ヘッド部が設置された位置よりも高い位置に設置されるので、映像ヘッド部及び音声ヘッド部に対して第２電源回路の発振時に発生する輻射による影響を軽減することが可能となり、両ヘッドの性能に悪影響を与えることなく、ノイズの発生を抑えることが出来る。
【００１５】
第４発明に係るテレビジョン放送受信機は、第２乃至第３発明の何れか一つに係るテレビジョン放送受信機に於いて、サブ基板はトレイシャーシと一体に形成されたボス部の上面にビス留めされることを特徴とする。
【００１６】
このテレビジョン放送受信機によれば、サブ基板がトレイシャーシと一体に形成されたボス部の上面にビス留めされるので、サブ基板を確実に固定することが出来る。
【００１７】
第５発明に係るテレビジョン放送受信機は、第４発明に係るテレビジョン放送受信機に於いて、サブ基板とビス留めされたボス部は３本であり、この内２本がトレイシャーシの底面の外形に沿って外側に形成され、且つ、トレイシャーシの底面周縁部を構成する４辺の内、２辺に夫々形成されており、残り１本が前記トレイシャーシの底面の範囲内に形成されることを特徴とする。
【００１８】
このテレビジョン放送受信機によれば、サブ基板とビス留めされたボス部３本の内、２本がトレイシャーシの底面の外形に沿って外側に形成されるので、サブ基板をボスの厚さ分だけメイン基板から離れた距離に設置することが出来る。これにより、メイン基板上に於いて筐体の背面側の角部に設置されるテレビジョンチューナの上方に設置された第２電源回路の位置から、ＶＴＲデッキ内に設置された映像ヘッド及び音声ヘッドまでの水平距離をさらに離すことが可能となるので、映像ヘッド及び音声ヘッドに対して、第２電源回路の発振時に発生する輻射による影響をさらに低減することが出来る。
【００１９】
また、サブ基板を固定する３本のボス部の内、２本がトレイシャーシの底面の外形に沿って形成され、且つ、トレイシャーシの底面周縁部を構成する４辺の内、２辺の夫々に形成されており、残りの１本がトレイシャーシの底面の範囲内に形成されているので、サブ基板をバランス良く、安定的に３点で固定することが出来る。
【００２０】
第６発明に係るテレビジョン放送受信機は、第２乃至第５発明の何れか一つに係るテレビジョン放送受信機に於いて、テレビジョン放送受信機は、ＶＴＲ及びＤＶＤ装置と一体型のテレビジョン放送受信機であることを特徴とする。
【００２１】
このテレビジョン放送受信機によれば、ＶＴＲ及びＤＶＤ装置と一体型のテレビジョン放送受信機にも第２乃至第５発明の構成を適用することが可能であるので、現在増加しているＤＶＤユーザの増加に伴う、ＶＴＲ及びＤＶＤ装置一体型テレビジョン放送受信機の需要にも対応することが出来る。
【発明の効果】
【００２２】
本発明によれば、テレビジョンチューナ、ＶＴＲデッキ内の映像ヘッド部及び音声ヘッド部に対して電源回路の発振時に発生する輻射の影響を軽減することが出来る。
【発明を実施するための最良の形態】
【００２３】
[全体構成]
図１は、本発明に係るテレビジョン放送受信機１のリアキャビネット（図示せず）を外した状態での内部構造に関する背面図である。図１に示された通り、本発明に係るテレビジョン放送受信機１は、フロントキャビネット２とリアキャビネット（図示せず）からなる筐体を有しており、ＣＲＴ３がその表示部をフロントキャビネット２に形成された開口部（図示せず）に合わせて配備されるように設置されている。また、樹脂成形によって成形されたトレイシャーシ５が筐体の内側底面に設置されている。このトレイシャーシ５の底面の形状は略矩形であり、該矩形状の底面の外形に沿うように、複数のボス９ａ乃至９ｃ、板状片部２０等が筐体の上面方向に延ばされる形で一体に成形されている。トレイシャーシ５上には、該トレイシャーシ５の底面と略同一の形状で若干面積の小さいメイン基板６が設置されており、該メイン基板６上にはフロントキャビネット２側にＶＴＲデッキ４が配備され、リアキャビネット側の右角部にテレビジョンチューナ７が設置されており、その他、各部に電源を供給する第１電源回路など各種装置（図示せず）が設置されている。なお、ＶＴＲデッキ４の内部には、映像ヘッド１１、音声ヘッド１２（図３参照）が配備されている。また、トレイシャーシ５のリアキャビネット側の略直角の右角部には、この略直角を成す２辺の外側に沿って、筐体上面方向に延ばされる形で略直方体のボス９ａ及びボス９ｂが形成されており、この角部近傍の底面から筐体上面方向に延ばされる形で略直方体のボス９ｃ（図２乃至３参照）が形成されている。さらに、第２電源回路８を搭載するサブ基板１０が、３本のボス９ａ乃至９ｃの上部にビス留めされている。
【００２４】
[第２電源回路の構成]  
図２は、本実施形態にかかるトレイシャーシ５と、これに搭載された装置に関する側面図であり、図３は、該トレイシャーシ５と、これに搭載された装置に関する平面図である。
【００２５】
図３に示されている通り、サブ基板１０に搭載された第２電源回路８は、スイッチングトランス１３、電流出力部１５ａ及びケーブル１５ｂ、電流入力部１６ａ及びケーブル１６ｂ、トランジスタ１７、コンデンサ１８、ダイオード１９等で構成される。
【００２６】
本実施形態に於いては、メイン基板６に設置された第１電源回路（図示せず）が待機電力を１Ｗ未満に抑える目的で発振を停止している状態であり、テレビジョン放送受信機１を起動するために、第２電源回路８が設置されている。
【００２７】
第２電源回路８の基本的動作は、下記の通りである。まず、外部電圧（例えば１００Ｖ、５０Ｈｚ又は６０Ｈｚ）がメイン基板６に接続されたケーブル１４を通じてメイン基板６に入力されると、メイン基板６を介して１４０Ｖの直流電圧に変換し、メイン基板６と接続されたケーブル１６ｂを通じて、サブ基板１０上の電流入力部１６ａに入力される。トランジスタ１７は、１４０Ｖの直流電圧を交流電圧に切り替えて、スイッチングトランス１３に出力し、スイッチングトランス１３が交流電圧を降圧して、ダイオード１９及びコンデンサ１８で５Ｖの直流電圧に変換し、電流出力部１５ａからケーブル１５ｂを通じてメイン基板６の裏面に設置されたマイコン部（図示せず）に出力する。このようにして、第２電源回路８は１４０Ｖの直流電圧から５Ｖの直流電圧を生成する。なお、本実施形態に於いて、第２電源回路のトランジスタは２１０ＫＨｚでスイッチングする。
【００２８】
[第２電源回路のレイアウト]  
上述の通り、第２電源回路８はメイン基板６のリアキャビネット側の右角部に形成され
たボス９ａ乃至９ｃの上部に取り付けられており、サブ基板１０と３本のボス９ａ乃至９ｃがビス留めされている。ボス９ａ及び９ｂはメイン基板６の外側に配置される形でトレイシャーシ５に形成されており、ボス９ｃはトレイシャーシ５の底面の範囲内に形成され、メイン基板６に形成された開口部（図示せず）を貫通している。
【００２９】
図２に示されている通り、サブ基板１０はテレビジョンチューナ７の垂直方向上方に、一定の距離を保つ状態で取り付けられている。本実施形態に於いて、サブ基板１０とテレビジョンチューナ７の上面との距離は３０ｍｍである。また、第２電源回路８は、ＶＴＲデッキ４の内部の映像ヘッド１１及び音声ヘッド１２が設置された高さと同一位置にならないように、これら両ヘッドよりも高い位置に設置される。また、サブ基板１０は、メイン基板６の範囲内に収まらずに、メイン基板６の外側に形成されているボス９ａ乃至９ｂの分だけ外側にはみ出るような状態で、キャビネット内に収まるように設置される。
【００３０】
本実施形態では、テレビジョンチューナ７とサブ基板１０との垂直方向の距離を３０ｍｍとしたが、テレビジョン放送受信機の筐体の形状、ＶＴＲデッキ内のシリンダヘッドの大きさ及び設置位置、第２電源回路のスイッチングにより生じる輻射の影響等を考慮して、適宜変更することが出来る。
【００３１】
また、本実施形態ではＶＴＲデッキを備えたテレビジョン放送受信機１の第２電源回路８のレイアウトを想定したが、ＤＶＤデッキとＶＴＲデッキとを備えたテレビジョン放送受信機を想定しても良い。この際、ＶＴＲ一体型テレビジョン放送受信機に比べて、テレビジョン放送受信機の筐体底面の面積は大きくなることが予想されるが、第２電源回路がテレビジョンチューナの上方に設置されており、ＶＴＲデッキ内の映像ヘッド及び音声ヘッドよりも垂直方向上方に位置し、両ヘッドまでの水平距離が輻射の影響を軽減する程度に保つことが出来る限りに於いて、第２電源回路のレイアウトを適宜変更することが出来る。
【００３２】
[作用効果]
本実施形態によれば、テレビジョンチューナ７の上方に３０ｍｍの間隔を保つように第２電源回路８が設置されているので、テレビジョンチューナ７に対して、テレビジョン放送受信機１を起動する際に第２電源回路８が生じる輻射の影響を低減することが可能となり、テレビジョンチューナ７の性能に悪影響を与えることなく、ノイズの発生を抑えることが出来る。また、第２電源回路８の垂直方向に於ける設置位置は、ＶＴＲデッキ４内の映像ヘッド１１及び音声ヘッド１２の設置位置よりも高い位置に設置され、且つ、水平方向の設置位置はＶＴＲデッキから遠い位置に設置されているので、両ヘッドに対する輻射の影響を軽減することが可能となり、両ヘッドの読み取り性能、及び記録性能に悪影響を与えることなく、ノイズの発生を抑えることが出来る。なお、メイン基板６の外側に設置される形でトレイシャーシ５と一体に形成されたボス９ａ乃至９ｂの上部に第２電源回路８を設置することにより、ボスの厚さ分だけ第２電源回路８の設置位置を水平方向に両ヘッドから出来る限り離すことが出来るので、両ヘッドへの水平方向の輻射の影響をさらに低減することが可能となる。
【００３３】
また、トレイシャーシと一体に形成された３本のボスの上部に第２電源回路のサブ基板をビス留めすることによって、バランス良く、安定した状態で第２電源回路を固定することが出来る。
【図面の簡単な説明】
【００３４】
【図１】本実施形態のテレビジョン放送受信機のリアキャビネットを外した状態での背面からの斜視図。
【図２】本実施形態のトレイシャーシ及びこれに搭載された装置の側面図。
【図３】本実施形態のトレイシャーシ及びこれに搭載された装置の平面図。
【符号の説明】
【００３５】
１      テレビジョン放送受信機
２      フロントキャビネット
３      ＣＲＴ
４      ＶＴＲデッキ
５      トレイシャーシ
６      メイン基板
７      テレビジョンチューナ
８      第２電源回路
９ａ    ボス
９ｂ    ボス
９ｃ    ボス
１０    サブ基板
１１    映像ヘッド
１２    音声ヘッド
１３    スイッチングトランス
１４    ケーブル
１５ａ  電流出力部
１５ｂ  ケーブル  
１６ａ  電流入力部
１６ｂ  ケーブル
１７    トランジスタ
１８    コンデンサ
１９    ダイオード
２０    板状片部
【図１】
2006041852.tif 000003
【図２】
2006041852.tif 000004
【図３】
2006041852.tif 000005